(57)【要約】  本発明は、動物の鼻に装着するための自動調節可能装置（２０、３０）であって、医薬または非医薬物質の投与および／またはオンボードセンサによる動物についての情報の収集および送信を同時に行うために使用されてもよく、装置（２０、３０）は、可撓性支持体（２、２’）と一対の調節可能部材（１、１）とを備え、支持体と調節可能部材は、スイベルジョイントシステム（３、３’）によって接続され、これにより、部材は、全方向に関節動作可能になる、自動調節可能装置に関する。スイベルジョイントシステム（３、３’）によって、調節可能部材（１、１’）は、各動物の鼻中隔壁に対して自動的に調節可能になり、これにより、より良い快適さが与えられ、装置（２０、３０）の調節可能部材（１、１’）の面と動物の鼻粘膜とのより大きな接触面積が提供される。【選択図】図１
2021508575.tif 000002
【特許請求の範囲】
【請求項１】
平坦面（１ａ）および接合面（１ｂ）を有する一対の調節可能部材（１）と、
関節接合手段を有する末端（５）を備える支持体（２）と
を備える、動物の鼻に装着するための自動調節可能装置であって、
各調節可能部材（１）の接合面（１ｂ）は、前記支持体（２）の１つの末端（５）の前記関節接合手段に接合されて、スイベルジョイントシステム（３）を形成し、
前記調節可能部材（１）の前記平坦面（１ａ）は、間隔（１１）によって隔てられる、
自動調節可能装置。
【請求項２】
前記支持体（２）は、楕円形セグメント形状、円形セグメント形状、および長方形セグメント形状のうちの少なくとも１つを有することを特徴とする、請求項１に記載の鼻に装着するための自動調節可能装置。
【請求項３】
前記支持体（２）は、可撓で弾性変形可能な材料から形成されることを特徴とする、請求項１または２に記載の鼻に装着するための自動調節可能装置。
【請求項４】
前記支持体（２）は、弾性変形可能なポリマーから形成されることを特徴とする、請求項３に記載の鼻に装着するための自動調節可能装置。
【請求項５】
前記調節可能部材（１）は、少なくとも部分的に、内部に格納された少なくとも１つの処置物質を含有する重合材料であることを特徴とする、請求項１に記載の鼻に装着するための自動調節可能装置。
【請求項６】
前記調節可能部材の前記接合面（１ｂ）は、メス継手であり、前記末端（５）の前記関節接合手段は、オス継手であることを特徴とする、請求項１〜５のいずれか１項に記載の鼻に装着するための自動調節可能装置。
【請求項７】
前記調節可能部材の前記接合面（１ｂ）が球形凹部（４）であり、前記末端（５）の前記関節接合手段が球形状であることを特徴とする、請求項６に記載の鼻に装着するための自動調節可能装置。
【請求項８】
前記各調節可能部材（１’）の前記接合面（１ｂ）は、前記調節可能部材（１’）に取り付けられる第１端と、オス継手としての反対側の第２端とを有する接触素子（１２）に接合され、前記末端（５）の前記関節接合手段は、メス継手であることを特徴とする、請求項１〜５のいずれか１項に記載の鼻に装着するための自動調節可能装置。
【請求項９】
前記接触素子（１２）の前記オス継手としての端は、球形状を有し、前記末端（５）の前記関節接合手段は、球形凹部であることを特徴とする、請求項８に記載の鼻に装着するための自動調節可能装置。
【請求項１０】
少なくとも１つのセンサ（７）が前記調節可能部材（１、１’）上に配置されることを特徴とする、請求項１〜９のいずれか１項に記載の鼻に装着するための自動調節可能装置。
【請求項１１】
少なくとも１つのセンサ（７）が温度センサおよびパルスセンサから選択可能であることを特徴とする、請求項１０に記載の鼻に装着するための自動調節可能装置。
【請求項１２】
前記調節可能部材（１’）は、高熱伝導率材料から構成されるハウジング（１３）を備えることを特徴とする、請求項８〜１１のいずれか１項に記載の鼻に装着するための自動調節可能装置。
【請求項１３】
前記ハウジング（１３）は、前記動物の鼻中隔粘膜に面する前記調節可能部材（１’）の面上に位置する閉端を有することを特徴とする、請求項１２に記載の鼻に装着するための自動調節可能装置。
【請求項１４】
前記ハウジング（１３）に温度センサが収容されることを特徴とする、請求項１２または１３に記載の鼻に装着するための自動調節可能装置。
【請求項１５】
電子送信器、動きセンサ、光学電子センサ、位置センサ、呼吸センサ、および水分センサのうちの少なくとも１つが前記支持体（２、２’）上に配置されることを特徴とする、請求項１〜１４のいずれか１項に記載の鼻に装着するための自動調節可能装置。
【発明の詳細な説明】
【技術分野】
【０００１】
本発明は、動物の鼻に装着するための自動調節可能装置であって、医薬または非医薬物質の投与および／または電子センサによる動物についての情報の収集および送信を目的とする自動調節可能装置に関する。
【背景技術】
【０００２】
医薬または非医薬物質の適用および動物の体または行動の状態のモニタリングの両方を目的とする、動物の鼻に固定するための装置が当該技術水準において知られている。
【０００３】
予防処置、治療処置、またはさらに動物の発情サイクルの制御などのいくつかの理由により、長期間にわたって家畜動物に物質を投与することが必要な場合がある。現在最も多く使用されている方法の１つは、ＢＲＰＩ０８０２６６１−０およびＷＯ２０１６０５６９２６に記載されているような、動物の生殖系に導入される装置である。
【０００４】
これらの装置は、抵抗性があって、可撓性の高いプラスチックコアから構成されるので、操作後に元の形状に戻る能力を有する。さらに、装置は、動物に投与すべき物質を含浸されたポリマー（例えば、シリコーン）によって覆われている。装置は、異なる形状をとり得るが、装置を十分に制限できるので、生殖系の粘膜を攻撃したり、刺激したりすることは一切ない。
【０００５】
しかし、上記文献に記載されているような膣内装置は、動物を動かないように固定しなければならないので、適用が難しい。さらに、装置が内部にあるので、フィールドにおいて観察者が位置する距離によっては、装置が正しく動物に挿入されているか、またはさらには、装置が動物内にまだ残っているかを確認することができない。
【０００６】
したがって、経鼻装置を介する物質投与は、動物への導入がより簡単であり、また視覚的に制御可能であるので、適用および制御に都合がよく、どの動物が装置を受け取ったか、また装置が動物の鼻孔に配置されたままかを特定するのに都合がよい。
【０００７】
ＤＥ２１２５４６４は、動物（飼育または家畜動物）の鼻粘膜に医薬物質を投与するためのクランプを開示している。ＤＥ２１２５４６４に記載の技術によれば、装置は、クランプ形状を有し、その装置の物質を担持する部材が鼻粘膜壁に押し付けられる。したがって、その部材は、装置を動物の鼻孔内に固定しながら、所望の物質を投与する。
【０００８】
さらに、上記開示の装置はまた、鼻中隔穿孔を介して鼻孔に固定でき、したがって、イヤリング形状を呈する。この技術の範囲において想定される利点は、長期間にわたって物質を動物に投与する際の容易さおよび時間や労力の削減、さらには、動物内での装置の可視化の容易さ、および色によって区別可能であるといった点にあり得る。
【０００９】
ＤＥ２９１０６２９は、薬用物質を動物の鼻粘膜に投入するための装置を開示している。この装置は、医薬物質を担持する一対の部材を受け取るためのインサートを両端に有する、弾力性のＵ字形状（弧状）体を備える。医薬物質は、部材が鼻粘膜に接触する際に投与される。装置は、Ｕ字形状体の両末端において特定の角部を有し、動物の鼻中隔に解剖学的により良い収容を可能にし、かつ鼻孔内への導入を容易にするので、長期間使用した場合の動物への影響を低減する。さらに、部材によって提供される利点がＵ字形状体に搭載され得る。
【００１０】
他方、ＤＥ３０４５５２７は、医薬物質を投与する装置であって、その物質を担持する部材を有し、その部材は、鼻粘膜壁に押し付けられ、かつ粘膜に接する面に特定の角部を有する三角形形状を有し、装置の鼻粘膜対する接触面積を増加させる、装置を開示している。
【００１１】
さらに、情報を収集し（温度センサ、水分センサ、位置センサ、移動センサ、心拍センサ、呼吸センサ、および光センサなどのセンサを介して）、その情報を送信する（トランスポンダまたは送信器を介して）ために、動物をモニタリングして、その動物の体および精神の状態を評価し、そして、さらに動物の発情サイクルを決定することを可能にするために使用されるいくつかの装置がある。そのような装置がＵＳ２０１５２８２４５７およびＷＯ２０１４２０１０３９に開示されている。
【００１２】
ＮＬ１０１１８８４は、動物のモニタリングおよび物質の投与の両方のために、動物（好ましくは、ウシ）の鼻中隔に、または、鼻中隔内部に装着可能な装置を開示する。この装置は、動物の体の状態を検出するための測定手段と、有効成分を動物に投与する手段とを有する。測定および検出手段の両方は、動物の鼻粘膜に直接接触する。さらに、測定手段は、特に温度センサ、心拍または呼吸数の記録センサなどのいくつかの種類のセンサと連携され得る。
【発明の概要】
【発明が解決しようとする課題】
【００１３】
しかし、上記の鼻に装着する装置は、本体形状または接触部材において構造上の変更を示すが、一般に、所望の機能を完全には満たさない。なぜなら、特に、それぞれの動物は、品種や大きさが同様であっても、解剖学的に異なる鼻中隔を有するため、装置は、あらゆる動物の鼻中隔に対して十分に調節されるとは限らないからである。
【００１４】
動物の鼻中隔に対して完全には調節されないと、これらの装置は、なんらかの不快さを生じさせ得るし、さらに鼻中隔への傷などの動物への肉体的ダメージを生成し得る。
【００１５】
さらに、装置が各動物に正しく適合していないと、装置と鼻粘膜との接触面積が低減して、所望の物質が適切に投与されないか、所望の情報（例えば、温度およびパルス）が正確に収集されないかのいずれかによって、装置の有効性が制限され得る。
【００１６】
したがって、医薬物質の投与および／または動物についての情報の収集を目的とする動物の鼻に装着する装置の鼻粘膜に接触する領域が固定の角度または形状で配置される必要がある場合は、その装置を使用しても、上記目的の部分的でしかない解決しか得られず、目的を満足および有効には達成できない。
【００１７】
本発明の目的は、異なる大きさの動物が快適に使用でき、これらの動物から生命兆候（ｖｉｔａｌ  ｓｉｇｎｓ）を収集かつ取得するより高い能力を有し、その取得情報の信頼性がより高い、動物の鼻に装着するための自動調節可能装置を提供することである。さらに、この自動調節可能装置は、動物の鼻粘膜により良く適合するので、鼻粘膜と動物に投与すべき医薬または非医薬物質を含む伝達手段との接触面積を増加させる。
【課題を解決するための手段】
【００１８】
本発明の目的は、
接触面および接合面を有する一対の調節可能部材と、
関節接合手段を有する末端を備える支持体と
を備える、動物の鼻に装着するための自動調節可能装置であって
各調節可能部材の接合面は、支持体の末端のうちの１つの関節接合手段に接合され、スイベルジョイントシステムを形成し、
調節可能部材の平坦面は、間隔によって隔てられる、
自動調節可能装置を提供することによって達成される。
【００１９】
支持体は、楕円形セグメント形状、円形セグメント形状、および長方形セグメント形状のうちの少なくとも１つを有し、可撓で弾性変形可能な材料、例えば、弾性変形可能なポリマーから形成できる。
【００２０】
調節可能部材は、内部に格納された少なくとも１つの処置物質を含有する、少なくとも部分的に、重合材料であり得る。調節可能部材の接合面は、メス継手であり、末端の関節接合手段は、オス継手であり得る。例えば、調節可能部材の接合面は、球形凹部であり、末端の関節接合手段は、球形状であり得る。
【００２１】
各調節可能部材の接合面は、調節可能部材に取り付けた第１端と、オス継手としての反対側の第２端とを有する接触素子に接合できる。末端の関節接合手段は、メス継手であり得る。例えば、オス継手の接触素子端は、球形状を有し、末端の関節接合手段は、球形凹部である。少なくとも１つのセンサが調節可能部材上に配置され得る。この少なくとも１つのセンサは、温度センサおよびパルスセンサから選択される。
【００２２】
本発明の代替によれば、調節可能部材は、高熱伝導率材料から構成されるハウジングを備える。ハウジングは、動物の鼻中隔粘膜に面する調節可能部材の面上に位置する閉端を有し、温度センサがハウジング内に配置される。
【００２３】
電子送信器、動きセンサ、光学電子センサ、位置センサ、呼吸センサ、および水分センサのうちの少なくとも１つが支持体内に配置され得る。
【図面の簡単な説明】
【００２４】
【図１】図１は、装置の第１の実施形態の正面図である。
【図２】図２は、装置の第１の実施形態の側面図である。
【図３】図３は、装置の第１の実施形態の底面図である。
【図４】図４は、装置の第１の実施形態の上面図である。
【図５】図５は、装置の第１の実施形態の斜視図である。
【図６】図６は、装置の第１の実施形態の断面図である。
【図７】図７は、装置の第１の実施形態の拡大図である。
【図８】図８は、装置の第１の実施形態の部材のスイベルジョイントを表す図である。
【図９】図９は、装置の第２の実施形態の正面図である。
【図１０】図１０は、装置の第２の実施形態の断面図である。
【図１１】図１１は、装置の第２の実施形態の斜視図である。
【発明を実施するための形態】
【００２５】
以下に、本発明を図面に示す例示的実施形態に基づいてより詳細に説明する。
【００２６】
図１〜８は、動物の鼻に装着するための自動調節可能装置２０の第１の実施形態を示す。装置２０は、一対の調節可能部材１と、支持体２とを備える。支持体２は、ポリマーなどの可撓で弾性変形可能な材料から形成され、調節可能部材間の距離の調節を可能にし、装置２０を動物の鼻孔内に、鼻孔の幅に関係なく、快適に篏合させることを容易にする。可撓性材料の変形弾性抵抗により、支持体２は、若干の圧力を調節可能部材１の前面に加える。
【００２７】
支持体２はまた、楕円形セグメント形状を有する。可能な構造上の変形例において、支持体２は、円形セグメント形状または長方形セグメント形状をとってもよい。
【００２８】
各調節可能部材１は、支持体２の一端に取り付けられる。これらの調節可能部材１はそれぞれ、接触面１ａと、回転自由を有しながら支持体２の末端５に関節接合される接合面１ｂとを有する。本発明のこの第１の実施形態によれば、接合面１ｂは、図７に示すように、メス継手としての、好ましくは球形状の、開口を有する凹部４を有する。
【００２９】
各調節可能部材１の凹部４は、支持体２の関節接合手段を備える末端５に取り付けられる。図１〜８に示す本発明の第１の実施形態によれば、各末端５は、それぞれの凹部４に接続されるように、好ましくは球形状で、凹部４の大きさに適合可能な大きさを有するオス継手手段を有する。したがって、平坦面１ａは、互いに向き合い、間隔１１によって隔てられる。
【００３０】
調節可能部材１の凹部４と支持体２の末端５とを接続すると、スイベルジョイントシステム３が形成される。これにより、調節可能部材１は、全方向に関節動作可能となる。この関節動作によって、装置を動物の鼻中隔に対して両側でより良く調節することが可能になる。
【００３１】
さらに、調節可能部材１は、内部に格納された少なくとも１つの医薬物質（動物処置物質）を含有する重合材料から少なくとも部分的に構成される。その物質は、動物に投与される。調節可能部材１の全体を、上記物質を含有するこの材料から構成してもよいし、あるいは、調節可能部材１をその材料で覆うだけでもよい。
【００３２】
したがって、この第１の実施形態において、スイベルジョイントシステム３はまた、調節可能部材１の接触面１ａ全体が動物の鼻粘膜に、その解剖学的形状に関係なく、常時接触することを可能にして、装置２０の動物の鼻粘膜との接触面積を全体として増大させる。
【００３３】
したがって、装置２０のためのこの形状は、部材１の粘膜に対する接触が一定となり、かつより大きくなって、適量の投与すべき処置物質を無駄なく放出可能にするので、処置物質の投与に対して理想的である。
【００３４】
図９〜１１は、鼻に装着するための自動調節可能装置３０の第２の実施形態を示す。好ましくは、装置３０は、動物の情報を収集する必要がある場合に使用される。
【００３５】
本実施形態において、支持体２’は、メス継手として、好ましくは、球形凹部として構成される接合手段を有する末端６を有する。一対の調節可能部材１’は、調節可能部材１’に取り付けられる端と、オス継手として構成される、反対側の末端とを有する接触素子１２を有する。オス継手としての末端は、支持体２’の末端６のメス継手に適合する形状、好ましくは、球形状１０を有する。
【００３６】
したがって、接触素子１２の末端１０は、支持体２’の一末端６に接続され、またスイベルジョイントシステム３’を形成する。
【００３７】
この第２の実施形態において、オス継手を形成する凸状後面１０を有する調節可能部材１’の形状は、調節可能部材１’内部で利用可能な空間を増大させるので、例えば、温度センサやパルスセンサなどの電子センサ７を割り当てることが容易になる。しかし、また、本発明の第１の実施形態によれば、センサは、調節可能部材１と一体化可能である。
【００３８】
本発明の実施形態のいずれかにおいて、電子送信器およびセンサ７のバッテリ（不図示）は、支持体２のより低部の領域８に設置可能であるので、センサ７と送信器との間の通信は、チャネル９を介して行うことができる。
【００３９】
さらに、動物に直接接触する必要がないセンサ（不図示）（動きセンサ、位置センサ、および水分センサ）も支持体２のより低部の領域８に設置可能である。
【００４０】
調節可能部材１’はまた、好ましくは内部に温度センサ７を受け入れる金属材料または別の高熱伝導率材料から形成されるハウジングを備えることができる。ハウジングの閉端は、動物の鼻中隔粘膜の直接接触するように調節可能部材１’の前面に位置する。これにより、温度計測の正確さを向上させ、動物の息または風によって生じる空気の流れによる干渉を最小化する。
【００４１】
したがって、スイベルジョイントシステム３’が端末部材１’におけるオス継手と連携することにより、本発明のこの第２の実施形態は、センサを備える調節可能部材１’が動物の鼻中隔粘膜に常に接触することを可能にするので、データの品質および測定の正確さが向上し、動物のより良い健康分析に寄与する。
【００４２】
可撓性・抵抗性材料から形成される支持体２、２’と、調節可能部材１、１’が支持体２、２’と接合することによって形成されるスイベルジョイントシステムとの連携によって、支持体２、２’が調節可能部材１、１’に加える圧力が動物の鼻粘膜に伝達されることが可能になり、したがって、調節可能部材１、１を、動物の鼻中隔の解剖学的構造に最も適する角度に調節し、そしてまた、装置２０、３０を動物の鼻孔に固定するように機能する。
【００４３】
したがって、両実施形態において考えられた鼻に装着するための自動調節可能装置２０、３０は、従来公知の自動調節可能装置よりも有利な以下の点を有する。
【００４４】
−装置２０、３０と動物の鼻粘膜との接触面積がより大きいこと、処置物質の投与に都合がよいこと、および／または電子センサを介した、動物についての情報収集が正確であること、
−動物にとってより快適であること、および、スイベルジョイントシステムによって装置が各動物の解剖学的構造に最もよく調節されることが可能になるので、長期使用によって生じる体へのダメージの発生が減ること、
−センサを装置内に物理的に一体化させるための空間容量がより大きくなり、これらのセンサによる測定値の正確度が維持されること。
【００４５】
好適な実施形態の例を記載したが、本発明の範囲は、他の可能な変更を含み、特許請求の範囲の内容によってのみ限定され、可能な均等物を含むことが理解されるべきである。
【図１】
2021508575.tif 000003
【図２】
2021508575.tif 000004
【図３】
2021508575.tif 000005
【図４】
2021508575.tif 000006
【図５】
2021508575.tif 000007
【図６】
2021508575.tif 000008
【図７】
2021508575.tif 000009
【図８】
2021508575.tif 000010
【図９】
2021508575.tif 000011
【図１０】
2021508575.tif 000012
【図１１】
2021508575.tif 000013
【手続補正書】
【提出日】令和2年12月7日(2020.12.7)
【手続補正１】
【補正対象書類名】明細書
【補正対象項目名】全文
【補正方法】変更
【補正の内容】
【発明の詳細な説明】
【技術分野】
【０００１】
本発明は、動物の鼻に装着するための自動調節可能装置であって、医薬または非医薬物質の投与および／または電子センサなどの電子機器による動物についての情報の収集および送信を目的とする自動調節可能装置に関する。
【背景技術】
【０００２】
医薬または非医薬物質の適用および動物の体または行動の状態のモニタリングの両方を目的とする、動物の鼻に固定するための装置が当該技術水準において知られている。
【０００３】
予防処置、治療処置、またはさらに動物の発情サイクルの制御などのいくつかの理由により、長期間にわたって家畜動物に物質を投与することが必要な場合がある。現在最も多く使用されている方法の１つは、ＢＲＰＩ０８０２６６１−０およびＷＯ２０１６０５６９２６に記載されているような、動物の生殖系に導入される装置である。
【０００４】
これらの装置は、抵抗性があって、可撓性の高いプラスチックコアから構成されるので、操作後に元の形状に戻る能力を有する。さらに、装置は、動物に投与すべき物質を含浸されたポリマー（例えば、シリコーン）によって覆われている。装置は、異なる形状をとり得るが、装置を十分に制限できるので、生殖系の粘膜を攻撃したり、刺激したりすることは一切ない。
【０００５】
しかし、上記文献に記載されているような膣内装置は、動物を動かないように固定しなければならないので、適用が難しい。さらに、装置が内部にあるので、フィールドにおいて観察者が位置する距離によっては、装置が正しく動物に挿入されているか、またはさらには、装置が動物内にまだ残っているかを確認することができない。
【０００６】
したがって、経鼻装置を介する物質投与は、動物への導入がより簡単であり、また視覚的に制御可能であるので、適用および制御に都合がよく、どの動物が装置を受け取ったか、また装置が動物の鼻孔に配置されたままかを特定するのに都合がよい。
【０００７】
ＤＥ２１２５４６４は、動物（飼育または家畜動物）の鼻粘膜に医薬物質を投与するためのクランプを開示している。ＤＥ２１２５４６４に記載の技術によれば、装置は、クランプ形状を有し、その装置の物質を担持する部材が鼻粘膜壁に押し付けられる。したがって、その部材は、装置を動物の鼻孔内に固定しながら、所望の物質を投与する。
【０００８】
さらに、上記開示の装置はまた、鼻中隔穿孔を介して鼻孔に固定でき、したがって、イヤリング形状を呈する。この技術の範囲において想定される利点は、長期間にわたって物質を動物に投与する際の容易さおよび時間や労力の削減、さらには、動物内での装置の可視化の容易さ、および色によって区別可能であるといった点にあり得る。
【０００９】
ＤＥ２９１０６２９は、薬用物質を動物の鼻粘膜に投入するための装置を開示している。この装置は、医薬物質を担持する一対の部材を受け取るためのインサートを両端に有する、弾力性のＵ字形状（弧状）体を備える。医薬物質は、部材が鼻粘膜に接触する際に投与される。装置は、Ｕ字形状体の両末端において特定の角部を有し、動物の鼻中隔に解剖学的により良い収容を可能にし、かつ鼻孔内への導入を容易にするので、長期間使用した場合の動物への影響を低減する。さらに、部材によって提供される利点がＵ字形状体に搭載され得る。
【００１０】
他方、ＤＥ３０４５５２７は、医薬物質を投与する装置であって、その物質を担持する部材を有し、その部材は、鼻粘膜壁に押し付けられ、かつ粘膜に接する面に特定の角部を有する三角形形状を有し、装置の鼻粘膜対する接触面積を増加させる、装置を開示している。
【００１１】
さらに、情報を収集し（温度センサ、水分センサ、位置センサ、移動センサ、心拍センサ、呼吸センサ、および光センサなどのセンサを介して）、その情報を送信する（トランスポンダまたは送信器を介して）ために、動物をモニタリングして、その動物の体および精神の状態を評価し、そして、さらに動物の発情サイクルを決定することを可能にするために使用されるいくつかの装置がある。そのような装置がＵＳ２０１５２８２４５７およびＷＯ２０１４２０１０３９に開示されている。
【００１２】
ＮＬ１０１１８８４は、動物のモニタリングおよび物質の投与の両方のために、動物（好ましくは、ウシ）の鼻中隔に、または、鼻中隔内部に装着可能な装置を開示する。この装置は、動物の体の状態を検出するための測定手段と、有効成分を動物に投与する手段とを有する。測定および検出手段の両方は、動物の鼻粘膜に直接接触する。さらに、測定手段は、特に温度センサ、心拍または呼吸数の記録センサなどのいくつかの種類のセンサと連携され得る。
【発明の概要】
【発明が解決しようとする課題】
【００１３】
しかし、上記の鼻に装着する装置は、本体形状または接触部材において構造上の変更を示すが、一般に、所望の機能を完全には満たさない。なぜなら、特に、それぞれの動物は、品種や大きさが同様であっても、解剖学的に異なる鼻中隔を有するため、装置は、あらゆる動物の鼻中隔に対して十分に調節されるとは限らないからである。
【００１４】
動物の鼻中隔に対して完全には調節されないと、これらの装置は、なんらかの不快さを生じさせ得るし、さらに鼻中隔への傷などの動物への肉体的ダメージを生成し得る。
【００１５】
さらに、装置が各動物に正しく適合していないと、装置と鼻粘膜との接触面積が低減して、所望の物質が適切に投与されないか、所望の情報（例えば、温度およびパルス）が正確に収集されないかのいずれかによって、装置の有効性が制限され得る。
【００１６】
したがって、医薬物質の投与および／または動物についての情報の収集を目的とする動物の鼻に装着する装置の鼻粘膜に接触する領域が固定の角度または形状で配置される必要がある場合は、その装置を使用しても、上記目的の部分的でしかない解決しか得られず、目的を満足および有効には達成できない。
【００１７】
本発明の目的は、異なる大きさの動物が快適に使用でき、これらの動物から生命兆候（ｖｉｔａｌ  ｓｉｇｎｓ）を収集かつ取得するより高い能力を有し、電子機器を介してデータおよび／または通知から取得される情報の信頼性がより高い、動物の鼻に装着するための自動調節可能装置を提供することである。
【００１８】
本発明は、動物の鼻に固定する自動調節可能装置に関し、医薬または非医薬物質を投与すること、および／または電子センサなどの電子機器によって動物の情報を収集および送信することを目的とする。
【００１９】
そのような電子機器は、能動的または受動的に使用され、任意に、群れの識別、選択、取り扱い、分離のために、音および／または光の警報を発す。異なる光および／または色によって識別されるそのような動物情報は、動物の状況を示し、それぞれの扱いにおける、群れの識別、選択、操作、および分離を容易にする。
【００２０】
さらに、この自動調節可能装置は、動物の鼻粘膜により良く適合するので、鼻粘膜と動物に投与すべき医薬または非医薬物質を含む伝達手段との接触面積を増加させる。
【課題を解決するための手段】
【００２１】
本発明の目的は、
接触面および接合面を有する一対の調節可能部材と、
関節接合手段を有する末端を備える支持体と
を備える、動物の鼻に装着するための自動調節可能装置であって
各調節可能部材の接合面は、支持体の末端のうちの１つの関節接合手段に接合され、スイベルジョイントシステムを形成し、
調節可能部材の平坦面は、間隔によって隔てられる、
自動調節可能装置を提供することによって達成される。
【００２２】
支持体は、楕円形セグメント形状、円形セグメント形状、および長方形セグメント形状のうちの少なくとも１つを有し、可撓で弾性変形可能な材料、例えば、弾性変形可能なポリマーから形成できる。
【００２３】
調節可能部材は、内部に格納された少なくとも１つの処置物質を含有する、少なくとも部分的に、重合材料であり得る。調節可能部材の接合面は、メス継手であり、末端の関節接合手段は、オス継手であり得る。例えば、調節可能部材の接合面は、球形凹部であり、末端の関節接合手段は、球形状であり得る。
【００２４】
各調節可能部材の接合面は、調節可能部材に取り付けた第１端と、オス継手としての反対側の第２端とを有する接触素子に接合できる。末端の関節接合手段は、メス継手であり得る。例えば、オス継手の接触素子端は、球形状を有し、末端の関節接合手段は、球形凹部である。少なくとも１つのセンサが調節可能部材上に配置され得る。この少なくとも１つのセンサは、温度センサおよびパルスセンサから選択される。
【００２５】
本発明の代替によれば、調節可能部材は、高熱伝導率材料から構成されるハウジングを備える。ハウジングは、動物の鼻中隔粘膜に面する調節可能部材の面上に位置する閉端を有し、温度センサがハウジング内に配置される。
【００２６】
電子送信器、動きセンサ、光学電子センサ、位置センサ、呼吸センサ、および水分センサのうちの少なくとも１つが支持体内に配置され得る。
【図面の簡単な説明】
【００２７】
【図１】図１は、装置の第１の実施形態の正面図である。
【図２】図２は、装置の第１の実施形態の側面図である。
【図３】図３は、装置の第１の実施形態の底面図である。
【図４】図４は、装置の第１の実施形態の上面図である。
【図５】図５は、装置の第１の実施形態の斜視図である。
【図６】図６は、装置の第１の実施形態の断面図である。
【図７】図７は、装置の第１の実施形態の拡大図である。
【図８】図８は、装置の第１の実施形態の部材のスイベルジョイントを表す図である。
【図９】図９は、装置の第２の実施形態の正面図である。
【図１０】図１０は、装置の第２の実施形態の断面図である。
【図１１】図１１は、装置の第２の実施形態の斜視図である。
【発明を実施するための形態】
【００２８】
以下に、本発明を図面に示す例示的実施形態に基づいてより詳細に説明する。
【００２９】
図１〜８は、動物の鼻に装着するための自動調節可能装置２０の第１の実施形態を示す。装置２０は、一対の調節可能部材１と、支持体２とを備える。支持体２は、ポリマーなどの可撓で弾性変形可能な材料から形成され、調節可能部材間の距離の調節を可能にし、装置２０を動物の鼻孔内に、鼻孔の幅に関係なく、快適に篏合させることを容易にする。可撓性材料の変形弾性抵抗により、支持体２は、若干の圧力を調節可能部材１の前面に加える。
【００３０】
支持体２はまた、楕円形セグメント形状を有する。可能な構造上の変形例において、支持体２は、円形セグメント形状または長方形セグメント形状をとってもよい。
【００３１】
各調節可能部材１は、支持体２の一端に取り付けられる。これらの調節可能部材１はそれぞれ、接触面１ａと、回転自由を有しながら支持体２の末端５に関節接合される接合面１ｂとを有する。本発明のこの第１の実施形態によれば、接合面１ｂは、図７に示すように、メス継手としての、好ましくは球形状の、開口を有する凹部４を有する。
【００３２】
各調節可能部材１の凹部４は、支持体２の関節接合手段を備える末端５に取り付けられる。図１〜８に示す本発明の第１の実施形態によれば、各末端５は、それぞれの凹部４に接続されるように、好ましくは球形状で、凹部４の大きさに適合可能な大きさを有するオス継手手段を有する。したがって、平坦面１ａは、互いに向き合い、間隔１１によって隔てられる。
【００３３】
調節可能部材１の凹部４と支持体２の末端５とを接続すると、スイベルジョイントシステム３が形成される。これにより、調節可能部材１は、全方向に関節動作可能となる。この関節動作によって、装置を動物の鼻中隔に対して両側でより良く調節することが可能になる。
【００３４】
さらに、調節可能部材１は、内部に格納された少なくとも１つの医薬物質（動物処置物質）を含有する重合材料から少なくとも部分的に構成される。その物質は、動物に投与される。調節可能部材１の全体を、上記物質を含有するこの材料から構成してもよいし、あるいは、調節可能部材１をその材料で覆うだけでもよい。
【００３５】
したがって、この第１の実施形態において、スイベルジョイントシステム３はまた、調節可能部材１の接触面１ａ全体が動物の鼻粘膜に、その解剖学的形状に関係なく、常時接触することを可能にして、装置２０の動物の鼻粘膜との接触面積を全体として増大させる。
【００３６】
したがって、装置２０のためのこの形状は、部材１の粘膜に対する接触が一定となり、かつより大きくなって、適量の投与すべき処置物質を無駄なく放出可能にするので、処置物質の投与に対して理想的である。
【００３７】
図９〜１１は、鼻に装着するための自動調節可能装置３０の第２の実施形態を示す。好ましくは、装置３０は、動物の情報を収集する必要がある場合に使用される。
【００３８】
本実施形態において、支持体２’は、メス継手として、好ましくは、球形凹部として構成される接合手段を有する末端６を有する。一対の調節可能部材１’は、調節可能部材１’に取り付けられる端と、オス継手として構成される、反対側の末端とを有する接触素子１２を有する。オス継手としての末端は、支持体２’の末端６のメス継手に適合する形状、好ましくは、球形状１０を有する。
【００３９】
したがって、接触素子１２の末端１０は、支持体２’の一末端６に接続され、またスイベルジョイントシステム３’を形成する。
【００４０】
この第２の実施形態において、オス継手を形成する凸状後面１０を有する調節可能部材１’の形状は、調節可能部材１’内部で利用可能な空間を増大させるので、例えば、温度センサやパルスセンサなどの、特に電子センサ７のような電子機器を割り当てることが容易になる。しかし、また、本発明の第１の実施形態によれば、そのようなセンサは、調節可能部材１と一体化可能である。
【００４１】
本発明の実施形態のいずれかにおいて、電子送信器およびセンサ７のバッテリ（不図示）は、支持体２のより低部の領域８に設置可能であるので、センサ７と送信器との間の通信は、チャネル９を介して行うことができる。
【００４２】
さらに、そのような電子機器、例えば、動物に直接接触する必要がないセンサ（不図示）（動きセンサ、位置センサ、および水分センサ）も支持体２のより低部の領域８に設置可能である。またそのようなセンサは、発音体（不図示）および発光体（不図示）を含んでもよく、それらは機器によって収集された情報を通知するため、または、識別情報を送信するために、支持体２から露出するように固定することもできる。
【００４３】
調節可能部材１’はまた、好ましくは内部に温度センサ７を受け入れる金属材料または別の高熱伝導率材料から形成されるハウジングを備えることができる。ハウジングの閉端は、動物の鼻中隔粘膜の直接接触するように調節可能部材１’の前面に位置する。これにより、温度計測の正確さを向上させ、動物の息または風によって生じる空気の流れによる干渉を最小化する。
【００４４】
したがって、スイベルジョイントシステム３’が端末部材１’におけるオス継手と連携することにより、本発明のこの第２の実施形態は、センサを備える調節可能部材１’が動物の鼻中隔粘膜に常に接触することを可能にするので、データの品質および測定の正確さが向上し、動物のより良い健康分析に寄与する。
【００４５】
可撓性・抵抗性材料から形成される支持体２、２’と、調節可能部材１、１’が支持体２、２’と接合することによって形成されるスイベルジョイントシステムとの連携によって、支持体２、２’が調節可能部材１、１’に加える圧力が動物の鼻粘膜に伝達されることが可能になり、したがって、調節可能部材１、１を、動物の鼻中隔の解剖学的構造に最も適する角度に調節し、そしてまた、装置２０、３０を動物の鼻孔に固定するように機能する。
【００４６】
したがって、両実施形態において考えられた鼻に装着するための自動調節可能装置２０、３０は、従来公知の自動調節可能装置よりも有利な以下の点を有する。
【００４７】
−装置２０、３０と動物の鼻粘膜との接触面積がより大きいこと、処置物質の投与に都合がよいこと、および／または、例えばセンサなどの電子機器を介した、動物についての情報収集が正確であること、
−動物にとってより快適であること、および、スイベルジョイントシステムによって装置が各動物の解剖学的構造に最もよく調節されることが可能になるので、長期使用によって生じる体へのダメージの発生が減ること、
−センサを装置内に物理的に一体化させるための空間容量がより大きくなり、これらのセンサによる測定値の正確度が維持されること。
【００４８】
好適な実施形態の例を記載したが、本発明の範囲は、他の可能な変更を含み、特許請求の範囲の内容によってのみ限定され、可能な均等物を含むことが理解されるべきである。
【手続補正２】
【補正対象書類名】特許請求の範囲
【補正対象項目名】全文
【補正方法】変更
【補正の内容】
【特許請求の範囲】
【請求項１】
平坦面（１ａ）および接合面（１ｂ）を有する一対の調節可能部材（１）と、
関節接合手段を有する末端（５）を備える支持体（２）と
を備える、動物の鼻に装着するための自動調節可能装置であって、
各調節可能部材（１）の接合面（１ｂ）は、前記支持体（２）の１つの末端（５）の前記関節接合手段に接合されて、スイベルジョイントシステム（３）を形成し、
前記調節可能部材（１）の前記平坦面（１ａ）は、間隔（１１）によって隔てられる、
自動調節可能装置。
【請求項２】
前記支持体（２）は、楕円形セグメント形状、円形セグメント形状、および長方形セグメント形状のうちの少なくとも１つを有することを特徴とする、請求項１に記載の鼻に装着するための自動調節可能装置。
【請求項３】
前記支持体（２）は、可撓で弾性変形可能な材料から形成されることを特徴とする、請求項１または２に記載の鼻に装着するための自動調節可能装置。
【請求項４】
前記支持体（２）は、弾性変形可能なポリマーから形成されることを特徴とする、請求項３に記載の鼻に装着するための自動調節可能装置。
【請求項５】
前記調節可能部材（１）は、少なくとも部分的に、内部に格納された少なくとも１つの処置物質を含有する重合材料であることを特徴とする、請求項１に記載の鼻に装着するための自動調節可能装置。
【請求項６】
前記調節可能部材の前記接合面（１ｂ）は、メス継手であり、前記末端（５）の前記関節接合手段は、オス継手であることを特徴とする、請求項１〜５のいずれか１項に記載の鼻に装着するための自動調節可能装置。
【請求項７】
前記調節可能部材の前記接合面（１ｂ）が球形凹部（４）であり、前記末端（５）の前記関節接合手段が球形状であることを特徴とする、請求項６に記載の鼻に装着するための自動調節可能装置。
【請求項８】
前記各調節可能部材（１’）の前記接合面（１ｂ）は、前記調節可能部材（１’）に取り付けられる第１端と、オス継手としての反対側の第２端とを有する接触素子（１２）に接合され、前記末端（５）の前記関節接合手段は、メス継手であることを特徴とする、請求項１〜５のいずれか１項に記載の鼻に装着するための自動調節可能装置。
【請求項９】
前記接触素子（１２）の前記オス継手としての端は、球形状を有し、前記末端（５）の前記関節接合手段は、球形凹部であることを特徴とする、請求項８に記載の鼻に装着するための自動調節可能装置。
【請求項１０】
少なくとも１つの電子機器、特にセンサ（７）が前記調節可能部材（１、１’）上に配置されることを特徴とする、請求項１〜９のいずれか１項に記載の鼻に装着するための自動調節可能装置。
【請求項１１】
前記電子機器が、任意に発音体および／または発光体を含むことを特徴とする、請求項１０に記載の鼻に装着するための自動調節可能装置。
【請求項１２】
少なくとも１つのセンサ（７）が温度センサおよびパルスセンサから選択可能であることを特徴とする、請求項１０または１１に記載の鼻に装着するための自動調節可能装置。
【請求項１３】
前記調節可能部材（１’）は、高熱伝導率材料から構成されるハウジング（１３）を備えることを特徴とする、請求項８〜１２のいずれか１項に記載の鼻に装着するための自動調節可能装置。
【請求項１４】
前記ハウジング（１３）は、前記動物の鼻中隔粘膜に面する前記調節可能部材（１’）の面上に位置する閉端を有することを特徴とする、請求項１３に記載の鼻に装着するための自動調節可能装置。
【請求項１５】
前記ハウジング（１３）に温度センサが収容されることを特徴とする、請求項１３または１４に記載の鼻に装着するための自動調節可能装置。
【請求項１６】
電子送信器、動きセンサ、光学電子センサ、位置センサ、呼吸センサ、および水分センサのうちの少なくとも１つが前記支持体（２、２’）上に配置されることを特徴とする、請求項１〜１５のいずれか１項に記載の鼻に装着するための自動調節可能装置。
【国際調査報告】
2021508575.tif 000014
2021508575.tif 000015
2021508575.tif 000016
2021508575.tif 000017
2021508575.tif 000018
2021508575.tif 000019
2021508575.tif 000020
2021508575.tif 000021